(57)【要約】【課題】侵入者の犯罪行為を阻止させることができる侵入者威嚇撃退装置及び侵入者威嚇撃退方法を得る。【解決手段】侵入者威嚇撃退装置１０は、音色の異なる複数の音を同時に発声する複数の第１音声発生手段１６、１８、２０、２２と、周波数が異なる複数の音を同時に発声する複数の第２音声発生手段１６、１８、２０、２２と、を有する構成とした。また、侵入者威嚇撃退方法は、音色の異なる複数の音を複数の第１音声発生手段１６、１８、２０、２２から同時に発声させ、かつ周波数が異なる複数の音を複数の第２音声発生手段１６、１８、２０、２２から同時に発声させることにより侵入者を威嚇撃退させるようにした。【選択図】      図１
2005135264.tif 000002
【特許請求の範囲】
【請求項１】
音色の異なる複数の音を同時に発声する複数の第１音声発生手段を有することを特徴とする侵入者威嚇撃退装置。
【請求項２】
周波数が異なる複数の音を同時に発声する複数の第２音声発生手段を有することを特徴とする侵入者威嚇撃退装置。
【請求項３】
音色の異なる複数の音を同時に発声する複数の第１音声発生手段と、
周波数が異なる複数の音を同時に発声する複数の第２音声発生手段と、
を有することを特徴とする侵入者威嚇撃退装置。
【請求項４】
前記第１音声発生手段又は前記第２音声発生手段の少なくともいずれか一方から発声される音の音圧が１１０（ｄＢ）以上であることを特徴とする請求項１乃至３のいずれか１項に記載の侵入者威嚇撃退装置。
【請求項５】
前記第１音声発生手段又は前記第２音声発生手段の少なくともいずれか一方から発声される音の周波数は、３．０ｋＨｚ以上４．０ｋＨｚ以下であることを特徴とする請求項１乃至４のいずれか１項に記載の侵入者威嚇撃退装置。
【請求項６】
前記第１音声発生手段又は前記第２音声発生手段から発声される各音の振動数の整数倍の値が全て異なることを特徴とする請求項１乃至５のいずれか１項に記載の侵入者威嚇撃退装置。
【請求項７】
侵入者を検知する検知手段と、
前記検知手段の結果に基づいて前記第１音声発生手段又は前記第２音声発生手段の少なくとも一方が発声するように制御する制御手段と、
を有することを特徴とする請求項１乃至６のいずれか１項に記載の侵入者威嚇撃退装置。
【請求項８】
前記制御手段を作動させるバッテリが設けられていることを特徴とする請求項７に記載の侵入者威嚇撃退装置。
【請求項９】
前記第１音声発生手段又は前記第２音声発生手段の少なくとも一部が金属製の第１カバー部材で覆われていることを特徴とする請求項１乃至８のいずれか１項に記載の侵入者威嚇撃退装置。
【請求項１０】
前記制御手段の少なくとも一部が金属製の第２カバー部材で覆われていることを特徴とする請求項７乃至９のいずれか１項に記載の侵入者威嚇撃退装置。
【請求項１１】
前記第１音声発生手段又は前記第２音声発生手段の近傍に位置する前記第１カバー部材には、スリットが形成されていることを特徴とする請求項９又は１０に記載の侵入者威嚇撃退装置。
【請求項１２】
音色の異なる複数の音を複数の第１音声発生手段から同時に発声させることにより侵入者を威嚇撃退させることを特徴とする侵入者威嚇撃退方法。
【請求項１３】
周波数が異なる複数の音を複数の第２音声発生手段から同時に発声させることにより侵入者を威嚇撃退させることを特徴とする侵入者威嚇撃退方法。
【請求項１４】
音色の異なる複数の音を複数の第１音声発生手段から同時に発声させ、かつ周波数が異なる複数の音を複数の第２音声発生手段から同時に発声させることにより侵入者を威嚇撃退させることを特徴とする侵入者威嚇撃退方法。
【請求項１５】
音色の異なる複数の音を同時に発声する複数の第１音声発生手段と、周波数が異なる複数の音を同時に発声する複数の第２音声発生手段と、を有する侵入者威嚇撃退装置を用いた侵入者威嚇撃退方法であって、
前記第１音声発生手段又は前記第２音声発生手段の一方から音を発声させる第１発声工程と、
前記第１音声発生工程の後、前記第１音声発生手段及び前記第２音声発生手段から複数の音を同時に発声させる第２発声工程と、
からなることを特徴とする侵入者威嚇撃退方法。
【請求項１６】
前記第１音声発生手段又は前記第２音声発生手段の少なくともいずれか一方から発声される音の音圧が１１０（ｄＢ）以上であることを特徴とする請求項１２乃至１５のいずれか１項に記載の侵入者威嚇撃退方法。
【請求項１７】
前記第１音声発生手段又は前記第２音声発生手段の少なくともいずれか一方から発声される音の周波数は、３．０ｋＨｚ以上４．０ｋＨｚ以下であることを特徴とする請求項１２乃至１６のいずれか１項に記載の侵入者威嚇撃退方法。
【請求項１８】
前記第１音声発生手段又は前記第２音声発生手段から発声される各音の振動数の整数倍の値が全て異なることを特徴とする請求項１２乃至１７のいずれか１項に記載の侵入者威嚇撃退方法。
【請求項１９】
検知手段による侵入者の検知結果に基づいて、制御手段により前記第１音声発生手段又は前記第２音声発生手段の少なくとも一方から音が発声するように制御されることを特徴とする請求項１２乃至１８のいずれか１項に記載の侵入者威嚇撃退方法。
【発明の詳細な説明】
【技術分野】
【０００１】
本発明は、居住地などに侵入した侵入者を威嚇しかつ撃退する侵入者威嚇撃退装置及び侵入者威嚇撃退方法に関する。
【背景技術】
【０００２】
従来の防犯装置として、電磁ベル、圧電ブザー、モーターサイレン、電子サイレンなどを用いたものがある。この防犯装置は、警備物件に設置されており、防犯システムからの信号を受けて音を鳴らし、侵入者を威嚇しあるいは侵入者の存在を周囲に知らせるものである。
【０００３】
なお、上記背景技術は公用の技術であり、本発明は公用の技術をもとに開発したものである。このため、出願人は、特許出願の時において本発明に関連する文献公知発明の存在を知らず、文献公知発明の名称その他の文献公知発明に関する情報の所在の記載を省略する。
【発明の開示】
【発明が解決しようとする課題】
【０００４】
ところで、上記防犯装置は、犯行を行おうとしている侵入者を威嚇するものであり、犯行そのものを阻止するものではない。すなわち、最近の犯行手口として、侵入者は、防犯装置が鳴っているにもかかわらず、犯行を続行し短時間で犯行を終えて逃走する例が増えている。このため、犯行に要する時間が短いため、警備会社又は警察に通報がなされてから犯行現場に到着するまでに侵入者が逃走してしまい、その場での検挙ができない問題がある。
【０００５】
そこで、本発明は、上記事情を考慮し、侵入者の犯罪行為を阻止させることができる侵入者威嚇撃退装置及び侵入者威嚇撃退方法を提供することを目的とする。
【課題を解決するための手段】
【０００６】
請求項１に記載の発明は、音色の異なる複数の音を同時に発声する複数の第１音声発生手段を有することを特徴とする。
【０００７】
請求項１に記載の発明によれば、複数の第１音声発生手段から音色の異なる複数の音が同時に発声される。これにより、第１音声発生手段から不快音が発声される。この結果、侵入者をその場から逃避させることにより犯罪行為そのものを中止させることができ、あるいは侵入者の犯罪行為を長引かすことにより犯人検挙に結び付けることができる。
なお、本明細書において「音色が異なる音」とは、周波数の波形が異なる音を意味する。
【０００８】
請求項２に記載の発明は、周波数が異なる複数の音を同時に発声する複数の第２音声発生手段を有することを特徴とする。
【０００９】
請求項２に記載の発明によれば、複数の第２音声発生手段から周波数が異なる複数の音が同時に発声される。これにより、第２音声発生手段から不快音が発声される。この結果、侵入者をその場から逃避させることにより犯罪行為そのものを中止させることができ、あるいは侵入者の犯罪行為を長引かすことにより犯人検挙に結び付けることができる。
【００１０】
請求項３に記載の発明は、音色の異なる複数の音を同時に発声する複数の第１音声発生手段と、周波数が異なる複数の音を同時に発声する複数の第２音声発生手段と、を有することを特徴とする。
【００１１】
請求項３に記載の発明によれば、複数の第１音声発生手段から音色の異なる複数の音が同時に発声される。また、複数の第２音声発生手段から周波数が異なる複数の音が同時に発声される。これにより、第１音声発生手段から発声される音と第２音声発生手段から発声される音とが組み合わされ、侵入者が感じる不快感をさらに増すことができる。この結果、侵入者の撃退効果をさらに高めることができる。
【００１２】
請求項４に記載の発明は、請求項１乃至３のいずれか１項に記載の侵入者威嚇撃退装置において、前記第１音声発生手段又は前記第２音声発生手段の少なくともいずれか一方から発声される音の音圧が１１０（ｄＢ）以上であることを特徴とする。
【００１３】
請求項４に記載の発明によれば、第１音声発生手段又は第２音声発生手段の少なくともいずれか一方から発声される音の音圧を１１０（ｄＢ）以上とすることにより、侵入者の撃退効果をさらに向上させることができる。
【００１４】
請求項５に記載の発明は、請求項１乃至４のいずれか１項に記載の侵入者威嚇撃退装置において、前記第１音声発生手段又は前記第２音声発生手段の少なくともいずれか一方から発声される音の周波数は、３．０ｋＨｚ以上４．０ｋＨｚ以下であることを特徴とする。
【００１５】
請求項５に記載の発明によれば、第１音声発生手段又は第２音声発生手段の少なくともいずれか一方から発声される音の周波数を３．０ｋＨｚ以上４．０ｋＨｚ以下とすることにより、人間の耳に最も良く聞える音になる。これにより、侵入者が受ける不快感が増し、侵入者の撃退効果をさらに向上させることができる。
【００１６】
請求項６に記載の発明は、請求項１乃至５のいずれか１項に記載の侵入者威嚇撃退装置において、前記第１音声発生手段又は前記第２音声発生手段から発声される各音の振動数の整数倍の値が全て異なることを特徴とする。
【００１７】
請求項６に記載の発明によれば、第１音声発生手段又は第２音声発生手段から発声される各音の振動数の整数倍の値を全て異なるものにすることにより、いわゆる不協和音（音の濁りが多くなる音）を発声させることができる。これにより、侵入者が受ける不快感が増し、侵入者の撃退効果をさらに向上させることができる。
【００１８】
請求項７に記載の発明は、請求項１乃至６のいずれか１項に記載の侵入者威嚇撃退装置において、侵入者を検知する検知手段と、前記検知手段の結果に基づいて前記第１音声発生手段又は前記第２音声発生手段の少なくとも一方が発声するように制御する制御手段と、を有することを特徴とする。
【００１９】
請求項７に記載の発明によれば、検知手段により侵入者が検知されると、制御手段が検知手段の検知結果に基づいて第１音声発生手段又は第２音声発生手段の少なくとも一方が発声するように第１音声発生手段又は第２音声発生手段をそれぞれ制御する。これにより、第１音声発生手段又は第２音声発生手段から音が発声される。この結果、侵入者をその場から逃避させることにより犯罪行為そのものを中止させることができ、あるいは侵入者の犯罪行為を長引かすことにより犯人検挙に結び付けることができる。
このように、別途検知手段を用いることによりあらゆる場所に検知手段を設けることができる。このため、あらゆる場所に侵入者が侵入した場合でも、第１音声発生手段又は第２音声発生手段から音を確実に発声させることができ、侵入者を撃退することができる。
【００２０】
請求項８に記載の発明は、請求項７に記載の侵入者威嚇撃退装置において、前記制御手段を作動させるバッテリが設けられていることを特徴とする。
【００２１】
請求項８に記載の発明によれば、制御手段を作動させるバッテリが設けられているため、停電などにより侵入者威嚇撃退装置と外部の電源との接続が絶たれても、制御手段を作動させることができ、第１音声発生手段又は第２音声発生手段から音を確実に発声させることができ、侵入者に対する撃退効果がなくなることを防止できる。
【００２２】
請求項９に記載の発明は、請求項１乃至８のいずれか１項に記載の侵入者威嚇撃退装置において、前記第１音声発生手段又は前記第２音声発生手段の少なくとも一部が金属製の第１カバー部材で覆われていることを特徴とする。
【００２３】
請求項９に記載の発明によれば、第１音声発生手段又は第２音声発生手段の少なくとも一部が金属製の第１カバー部材で覆われているため、仮に侵入者が侵入者威嚇撃退装置の存在に気づき武器などにより侵入者威嚇撃退装置を攻撃した場合でも、第１音声発生手段又は第２音声発生手段の少なくとも一部が金属製の第１カバー部材で保護されているため、第１音声発生手段又は第２音声発生手段が破損することを防止できる。
【００２４】
請求項１０に記載の発明は、請求項７乃至９のいずれか１項に記載の侵入者威嚇撃退装置において、前記制御手段の少なくとも一部が金属製の第２カバー部材で覆われていることを特徴とする。
【００２５】
請求項１０に記載の発明によれば、制御手段の少なくとも一部が金属製の第２カバー部材で覆われているため、仮に侵入者が侵入者威嚇撃退装置の存在に気づき武器などにより侵入者威嚇撃退装置を攻撃した場合でも、制御手段が金属製の第２カバー部材で保護されているため、制御手段が破損することを防止できる。
【００２６】
請求項１１に記載の発明は、請求項９又は１０に記載の侵入者威嚇撃退装置において、前記第１音声発生手段又は前記第２音声発生手段の近傍に位置する前記第１カバー部材には、スリットが形成されていることを特徴とする。
【００２７】
請求項１１に記載の発明によれば、第１音声発生手段又は第２音声発生手段の近傍に位置する第１カバー部材にスリットを形成することにより、第１音声発生手段又は第２音声発生手段から発声された音を侵入者に効率良く伝播させることができる。
また、上記のように第１カバー部材の所定の位置にのみスリットを形成することで、第１カバー部材の強度も確保することができる。
【００２８】
請求項１２に記載の発明は、音色の異なる複数の音を複数の第１音声発生手段から同時に発声させることにより侵入者を威嚇撃退させることを特徴とする。
【００２９】
請求項１２に記載の発明によれば、複数の第１音声発生手段から音色の異なる複数の音が同時に発声される。これにより、第１音声発生手段から不快音が発声され侵入者を威嚇撃退することができる。この結果、侵入者に犯罪行為そのものを中止させることができ、あるいは侵入者の犯罪行為を長引かすことにより犯人検挙に結び付けることができる。
【００３０】
請求項１３に記載の発明は、周波数が異なる複数の音を複数の第２音声発生手段から同時に発声させることにより侵入者を威嚇撃退させることを特徴とする。
【００３１】
請求項１３に記載の発明によれば、複数の第２音声発生手段から音色の異なる複数の音が同時に発声される。これにより、第２音声発生手段から不快音が発声され侵入者を威嚇撃退することができる。この結果、侵入者に犯罪行為そのものを中止させることができ、あるいは侵入者の犯罪行為を長引かすことにより犯人検挙に結び付けることができる。
【００３２】
請求項１４に記載の発明は、音色の異なる複数の音を複数の第１音声発生手段から同時に発声させ、かつ周波数が異なる複数の音を複数の第２音声発生手段から同時に発声させることにより侵入者を威嚇撃退させることを特徴とする。
【００３３】
請求項１４に記載の発明によれば、複数の第１音声発生手段から音色の異なる複数の音が同時に発声される。また、複数の第２音声発生手段から周波数が異なる複数の音が同時に発声される。これにより、第１音声発生手段から発声される音と第２音声発生手段から発声される音とが組み合わされ、侵入者が受ける不快感をさらに増すことができる。この結果、侵入者の撃退効果をさらに高めることができる。
【００３４】
請求項１５に記載の発明は、音色の異なる複数の音を同時に発声する複数の第１音声発生手段と、周波数が異なる複数の音を同時に発声する複数の第２音声発生手段と、を有する侵入者威嚇撃退装置を用いた侵入者威嚇撃退方法であって、前記第１音声発生手段又は前記第２音声発生手段の一方から音を発声させる第１音声発生工程と、前記第１音声発生工程の後、前記第１音声発生手段及び前記第２音声発生手段から複数の音を同時に発声させる第２音声発生工程と、からなることを特徴とする。
【００３５】
請求項１５に記載の発明によれば、第１音声発生工程において、複数の第１音声発生手段又は複数の第２音声発生手段から音色の異なる複数の音又は周波数が異なる複数の音が発声される。第１音声発生工程の後、複数の第１音声発生手段及び複数の第２音声発生手段から複数の音がそれぞれ同時に発声される。このように、初めに発声する音を比較的小さくし、後に発声する音を比較的大きくすることにより、音を段階的に発声させることができる。これにより、使用者が誤操作したりあるいは装置が誤作動した場合でも、使用者が受ける不快感を可能な限り低減することができる。
【００３６】
請求項１６に記載の発明は、請求項１２乃至１５のいずれか１項に記載の侵入者威嚇撃退方法において、前記第１音声発生手段又は前記第２音声発生手段の少なくともいずれか一方から発声される音の音圧が１１０（ｄＢ）以上であることを特徴とする。
【００３７】
請求項１６に記載の発明によれば、第１音声発生手段又は第２音声発生手段の少なくともいずれか一方から発声される音の音圧を１１０（ｄＢ）以上とすることにより、侵入者の撃退効果をさらに向上させることができる。
【００３８】
請求項１７に記載の発明は、請求項１２乃至１６のいずれか１項に記載の侵入者威嚇撃退方法において、前記第１音声発生手段又は前記第２音声発生手段の少なくともいずれか一方から発声される音の周波数は、３．０ｋＨｚ以上４．０ｋＨｚ以下であることを特徴とする。
【００３９】
請求項１７に記載の発明によれば、第１音声発生手段又は第２音声発生手段の少なくともいずれか一方から発声される音の周波数を３．０ｋＨｚ以上４．０ｋＨｚ以下とすることにより、人間の耳に最も良く聞える音になる。これにより、侵入者の不快感が増し、侵入者の撃退効果をさらに向上させることができる。
【００４０】
請求項１８に記載の発明は、請求項１２乃至１７のいずれか１項に記載の侵入者威嚇撃退方法において、前記第１音声発生手段又は前記第２音声発生手段から発声される各音の振動数の整数倍の値が全て異なることを特徴とする。
【００４１】
請求項１８に記載の発明によれば、第１音声発生手段又は第２音声発生手段から発声される各音の振動数の整数倍の値を全て異なるものにすることにより、いわゆる不協和音（音の濁りが多くなる音）を発声させることができる。これにより、侵入者の不快感が増し、侵入者の撃退効果をさらに向上させることができる。
【００４２】
請求項１９に記載の発明は、請求項１２乃至１８のいずれか１項に記載の侵入者威嚇撃退方法において、検知手段による侵入者の検知結果に基づいて、制御手段により前記第１音声発生手段又は前記第２音声発生手段の少なくとも一方から音が発声するように制御されることを特徴とする。
【００４３】
請求項１９に記載の発明によれば、検知手段により侵入者が検知されると、制御手段が検知手段の検知結果に基づいて第１音声発生手段又は第２音声発生手段の少なくとも一方が発声するように第１音声発生手段又は第２音声発生手段をそれぞれ制御する。これにより、第１音声発生手段又は第２音声発生手段から音が発声される。この結果、侵入者をその場から逃避させることにより犯罪行為そのものを中止させることができ、あるいは侵入者の犯罪行為を長引かすことにより犯人検挙に結び付けることができる。
このように、別途検知手段を用いることによりあらゆる場所に検知手段を設けることができる。このため、あらゆる場所に侵入者が侵入した場合でも、第１音声発生手段又は第２音声発生手段から音を確実に発声させることができ、侵入者を撃退することができる。
【発明の効果】
【００４４】
請求項１に記載の発明は、侵入者をその場から逃避させることにより犯罪行為そのものを中止させることができ、あるいは侵入者の犯罪行為を長引かすことにより犯人検挙に結び付けることができる。
【００４５】
請求項２に記載の発明は、侵入者をその場から逃避させることにより犯罪行為そのものを中止させることができ、あるいは侵入者の犯罪行為を長引かすことにより犯人検挙に結び付けることができる。
【００４６】
請求項３に記載の発明は、第１音声発生手段から発声される音と第２音声発生手段から発声される音とが組み合わされ、侵入者が感じる不快感をさらに増すことができ、侵入者の撃退効果をさらに高めることができる。
【００４７】
請求項４に記載の発明は、第１音声発生手段又は第２音声発生手段の少なくともいずれか一方から発声される音の音圧を１１０（ｄＢ）以上とすることにより、侵入者の撃退効果をさらに向上させることができる。
【００４８】
請求項５に記載の発明は、第１音声発生手段又は第２音声発生手段の少なくともいずれか一方から発声される音の周波数を３．０ｋＨｚ以上４．０ｋＨｚ以下とすることにより、侵入者が受ける不快感が増し、侵入者の撃退効果をさらに向上させることができる。
【００４９】
請求項６に記載の発明は、第１音声発生手段又は第２音声発生手段から発声される各音の振動数の整数倍の値を全て異なるものにすることにより、いわゆる不協和音を発声させることができ、侵入者の撃退効果をさらに向上させることができる。
【００５０】
請求項７に記載の発明は、別途検知手段を用いることによりあらゆる場所に検知手段を設けることができる。このため、あらゆる場所に侵入者が侵入した場合でも、第１音声発生手段又は第２音声発生手段から音を確実に発声させることができ、侵入者を撃退することができる。
【００５１】
請求項８に記載の発明は、制御手段を作動させるバッテリが設けられているため、停電などにより侵入者威嚇撃退装置と外部の電源との接続が絶たれても、制御手段を作動させることができ、第１音声発生手段又は第２音声発生手段から音を確実に発声させることができ、侵入者に対する撃退効果がなくなることを防止できる。
【００５２】
請求項９に記載の発明は、第１音声発生手段又は第２音声発生手段の少なくとも一部が金属製の第１カバー部材で覆われているため、仮に侵入者が侵入者威嚇撃退装置の存在に気づき武器などにより侵入者威嚇撃退装置を攻撃した場合でも、第１音声発生手段又は第２音声発生手段の少なくとも一部が金属製の第１カバー部材で保護されているため、第１音声発生手段又は第２音声発生手段が破損することを防止できる。
【００５３】
請求項１０に記載の発明は、制御手段の少なくとも一部が金属製の第２カバー部材で覆われているため、仮に侵入者が侵入者威嚇撃退装置の存在に気づき武器などにより侵入者威嚇撃退装置を攻撃した場合でも、制御手段が金属製の第２カバー部材で保護されているため、制御手段が破損することを防止できる。
【００５４】
請求項１１に記載の発明は、第１音声発生手段又は第２音声発生手段の近傍に位置する第１カバー部材にスリットを形成することにより、第１音声発生手段又は第２音声発生手段から発声された音を侵入者に効率良く伝播させることができる。
また、上記のように第１カバー部材の所定の位置にのみスリットを形成することで第１カバー部材の強度も確保することができる。
【００５５】
請求項１２に記載の発明は、侵入者に犯罪行為そのものを中止させることができ、あるいは侵入者の犯罪行為を長引かすことにより犯人検挙に結び付けることができる。
【００５６】
請求項１３に記載の発明は、侵入者に犯罪行為そのものを中止させることができ、あるいは侵入者の犯罪行為を長引かすことにより犯人検挙に結び付けることができる。
【００５７】
請求項１４に記載の発明は、第１音声発生手段から発声される音と第２音声発生手段から発声される音とが組み合わされ、侵入者が受ける不快感をさらに増すことができ、侵入者の撃退効果をさらに高めることができる。
【００５８】
請求項１５に記載の発明は、初めに発声する音を比較的小さくし、後に発声する音を比較的大きくすることにより、音を段階的に発声させることができる。これにより、使用者が誤操作したりあるいは装置が誤作動した場合でも、使用者が受ける不快感を可能な限り低減することができる。
【００５９】
請求項１６に記載の発明は、第１音声発生手段又は第２音声発生手段の少なくともいずれか一方から発声される音の音圧を１１０（ｄＢ）以上とすることにより、侵入者の撃退効果をさらに向上させることができる。
【００６０】
請求項１７に記載の発明は、第１音声発生手段又は第２音声発生手段の少なくともいずれか一方から発声される音の周波数を３．０ｋＨｚ以上４．０ｋＨｚ以下とすることにより、侵入者の受ける不快感が増し、侵入者の撃退効果をさらに向上させることができる。
【００６１】
請求項１８に記載の発明は、第１音声発生手段又は第２音声発生手段から発声される各音の振動数の整数倍の値を全て異なるものにすることにより、いわゆる不協和音を発声させることができ、侵入者の撃退効果をさらに向上させることができる。
【００６２】
請求項１９に記載の発明は、別途検知手段を用いることによりあらゆる場所に検知手段を設けることができる。このため、あらゆる場所に侵入者が侵入した場合でも、第１音声発生手段又は第２音声発生手段から音を確実に発声させることができ、侵入者を撃退することができる。
【発明を実施するための最良の形態】
【００６３】
次に、本発明の一実施形態に係る侵入者威嚇撃退装置について、図面を参照して説明する。
図１乃至図６に示すように、侵入者威嚇撃退装置１０は、侵入者威嚇撃退装置本体１２を備えている。侵入者威嚇撃退装置本体１２を構成するベース部材１４には、４つの各スピーカ１６、１８、２０、２２（第１音声発生手段、第２音声発生手段）がそれぞれ搭載されている。このうち中央に位置する２つの各スピーカ１６、２２は、ベース部材１４側に対して反対側となる装置正面側（図５中矢印Ａ方向側）を向いており、左右両側に位置する２つのスピーカ１８、２０は、装置正面側と垂直側となる装置右側面側（図３中矢印Ｂ方向側）及び装置左側面側（図３中矢印Ｃ方向側）をそれぞれ向いている。
【００６４】
また、３つの各スピーカ１６、１８、２０は、音の周波数の波形が正弦波となるスウィープ音が発声されるように設定されている。本実施形態においては、これらのスウィープ音の周波数は、３．０ｋＨｚから３．５ｋＨｚの範囲（図７中の領域Ｈ）で変化している。
ここで、スウィープ音の周波数は、人間の耳に最も良く聞こえる帯域である３．０ｋＨｚ以上４．０ｋＨｚ以下の範囲（図７中の領域Ｇ）で適宜変化させれば後述する侵入者に対する撃退効果が向上する。なお、スウィープ音の周波数は、３．０ｋＨｚ以上４．０ｋＨｚ以下に限定されるものではなく、人間の可聴領域となる範囲の周波数であればよい。
また、スウィープ音の音圧レベルが１１０デシベル「ｄＢ」以上（図７中の領域Ｑ）となるように設定されている。スウィープ音の上記周波数の条件と上記音圧レベルの条件とが重なることにより（図７中の領域Ｓ）、侵入者の撃退効果を向上させることができる。
また、各スピーカ１６、１８、２０から発声される各音の周波数は、全て同一ではなく、それぞれ異なるように設定されている。本実施形態においては、各スピーカ１６、１８、２０の周波数が±３００Ｈｚ（最大で６００Ｈｚ）の範囲内で異なっている。このように、各スピーカ１６、１８、２０から同時に発声される各音の周波数を異ならせることにより、うなりを発生させることができる。すなわち、干渉が起こるときに３音の周波数が異なると、ある瞬間に各音が強め合い、その後、序々にずれが生じて各音が弱め合うようになる。さらに、時間が経つと、再度タイミングが合って強め合う。この繰り返しによって、うなりが生じることになる。
なお、各スピーカ１６、１８、２０から発声される各音の周波数が異なるように予め設定してもよいが、各スピーカ１６、１８、２０を製造したときの各スピーカ１６、１８、２０間の製造誤差を利用して、各音の周波数を異ならせても良い。
さらに、各スピーカ１６、１８、２０から発声される各音の振動数の整数倍の値が全て異なるように設定されている。このように、各音の振動数の整数倍の値を全て異なるものにすることにより、いわゆる不協和音（音の濁りが多くなる音）を発声させることができる。
【００６５】
また、残りの１つのスピーカ２２は、２種類の周波数の音を交互に発生しているＨｉＬｏ音が発声されるように設定されている。本実施形態においては、このＨｉＬｏ音の周波数は、３．０ｋＨｚから３．５ｋＨｚの範囲（図７中の領域Ｈ）で変化している。
ここで、このＨｉＬｏ音の周波数は、３．０ｋＨｚから３．５ｋＨｚの範囲に限られず、人間の耳に最も良く聞える帯域である３．０ｋＨｚ以上４．０ｋＨｚ以下の範囲（図７中の領域Ｇ）で変化させれば侵入者撃退効果が向上する。なお、ＨｉＬｏ音の周波数は、３．０ｋＨｚ以上４．０ｋＨｚ以下に限定されるものではなく、人間の可聴領域となる範囲の周波数であればよい。
また、ＨｉＬｏ音の音圧レベルが１１０デシベル「ｄＢ」以上（図７中の領域Ｑ）となるように設定されている。ＨｉＬｏ音の上記周波数の条件と上記音圧レベルの条件とが重なることにより（図７中の領域Ｓ）、侵入者の撃退効果を向上させることができる。
なお、予めスピーカ２２から発声させる音の周波数を各スピーカ１６、１８、２０から発声する音の周波数と異なるように設定しておけば、各スピーカ１６、１８、２０から発声する各音の周波数が全て同じでも、うなりが発生する。
【００６６】
本実施形態では、３つの各スピーカ１６、１８、２０から３種類のスウィープ音を発声させ、１つのスピーカ２２からＨｉＬｏ音を発声させ、スウィープ音を発声するスピーカ１６、１８、２０の個数を可能な限り多くすることにより、侵入者が受ける不快感を大きくさせることができる。
また、３種類のスウィープ音の周波数を３．０ｋＨｚから３．５ｋＨｚの範囲で変化させ、かつＨｉＬｏ音の周波数を３．０ｋＨｚから３．５ｋＨｚの範囲で変化させることにより、必ず不協和音を生じさせることができ、侵入者が受ける不快感をさらに大きくさせることができる。
なお、各音の組み合わせは、上記組み合わせに限られることはなく、適宜変更することができる。
また、各スピーカ１６、１８、２０、２２からスウィープ音のみを発声させてもよく、さらに、各スピーカ１６、１８、２０、２２からＨｉＬｏ音のみを発声させてもよい。
【００６７】
また、図２に示すように、ベース部材１４には、４つの各スピーカ１６、１８、２０、２２の殆んど全部の部分を覆うように金属製の第１カバー部材２４が取り付けられている。これらの各スピーカ１６、１８、２０、２２を金属製の第１カバー部材２４で保護することにより、外部から鉄パイプ等の武器により攻撃された場合でも、各スピーカ１６、１８、２０、２２が破損してしまうことを防止することができる。
また、第１カバー部材２４において中央側の２つの各スピーカ１６、２２が位置する部位あるいはその近傍の部位には、第１カバー部材２４を厚み方向に貫通する複数のスリット２６がそれぞれ形成されている。これにより、各スピーカ１６、２２から発声された音を侵入者に効率良く伝播させることができる。
【００６８】
また、図２に示すように、各スピーカ１６、１８、２０、２２の近傍には、制御基板２８（制御手段）が設けられている。この制御基板２８は、各スピーカ１６、１８、２０、２２からの音の発声を制御する制御回路（図示省略）を備えている。また、制御基板２８には、外部の電源３６と接続するための第１接続端子３０が設けられている。また、制御基板２８には、赤外線センサ４０（検知手段）と接続するための第２接続端子３２が設けられている。さらに、制御基板２８には、各スピーカ１６、１８、２０、２２からの音の発声を手動操作するための入出操作部３８が接続する第３接続端子３４が設けられている。
【００６９】
さらに、ベース部材１４には、制御基板２８の殆ど全部の部分を覆うように金属製の第２カバー部材４２が取り付けられている。制御基板２８を金属製の第２カバー部材４２で保護することにより、外部から鉄パイプ等の武器により攻撃された場合でも、制御基板２８が破損してしまうことを防止することができる。
【００７０】
また、各スピーカ１６、１８、２０、２２と制御基板２８との間には、非常用バッテリ４４が配置されている。これにより、停電時や外部の電源との接続が切断された場合にも、制御基板２８を作動させることができ、各スピーカ１６、１８、２０、２２から音を発声させることができる。
【００７１】
また、制御基板２８の第１接続端子３０には、ケーブル（図示省略）が接続されており、このケーブルが外部の電源３６と接続される。これにより、制御基板２８に電流を供給することができ、制御基板２８を作動させることができる。
【００７２】
また、制御基板２８の第２接続端子３２には、赤外線センサ４０（検知手段）が接続されている。この赤外線センサ４０で侵入者が検知されると、その信号が制御基板２８に出力され、各スピーカ１６、１８、２０、２２から音が発声されるようになっている。この赤外線センサ４０は、侵入者の侵入を阻止したいあらゆる場所に設けることができる。
なお、本実施形態では、赤外線センサ４０を用いた形態を説明したが、これに限られるものではなく、例えば、接触センサ、振動センサ、圧力センサなどでもよい。さらに、センサに限られるものではなく、マグネットスイッチなどの検知器などでもよい。
【００７３】
また、制御基板２８の第３接続端子３４には、入出操作部３８が接続されている。各スピーカ１６、１８、２０、２２の発声制御は基本的に制御基板２８で制御されているが、使用者が誤操作した場合に、使用者が入出操作部３８を手動で操作することにより、各スピーカ１６、１８、２０、２２からの音の発声を停止させることができる。これにより、使用者が受ける不快感を可能な限り低減させることができる。
【００７４】
また、図３乃至図５に示すように、ベース部材１４には、ベース部材１４に搭載された各構成部材（各スピーカ１６、１８、２０、２２、制御基板２８、非常用バッテリ４４など）を全て覆うように表面カバー４６が取り付けられている。このように、表面カバー４６で各構成部材を覆うようにすることにより、侵入者威嚇撃退装置１０の意匠性を向上させることができるとともに、各構成部材に故障の原因となる埃などが付着してしまうことを防止できる。
また、表面カバー４６の各スピーカ１６、１８、２０、２２が位置する部位あるいはその近傍には、複数のスリット４８が形成されており、各スピーカ１６、１８、２０、２２から発声された音を侵入者に効率良く伝播させることができる。
【００７５】
また、本実施形態の侵入者威嚇撃退装置１０は、天井などの高所に取り付けることが好ましい。侵入者威嚇撃退装置１０を高所に取り付けることにより、たとえ侵入者が侵入者威嚇撃退装置１０を犯罪行為の事前に発見した場合でも、容易に攻撃することができない。
さらに、本実施形態の侵入者威嚇撃退装置１０は、住宅の内部や会社の内部は勿論、店舗の内部、自動車の内部、倉庫の内部などといった侵入者による犯罪行為を阻止したい場所に設けることができる。このように、本実施形態の侵入者威嚇撃退装置１０は、適用範囲が非常に広い装置である。
【００７６】
以上のように、本実施形態の侵入者威嚇撃退装置１０によれば、赤外線センサ４０を第２の接続端子３２に接続し、ケーブルを第１の接続端子３０に接続するだけで、防犯システムを容易に構築することができる。
【００７７】
次に、本実施形態の侵入者威嚇撃退装置１０を用いた侵入者威嚇撃退方法について説明する。
【００７８】
図１乃至図５に示すように、赤外線センサ４０により侵入者が検知されると、赤外線センサ４０から制御基板２８に検知信号が出力される。制御基板２８に検知信号が出力されると、制御基板２８の制御回路により４つの各スピーカ１６、１８、２０、２２から音がそれぞれ同時に発声される。
【００７９】
このとき、３つの各スピーカ１６、１８、２０から３種類のスウィープ音が同時に発声され、かつ残りの１つのスピーカ２２からＨｉＬｏ音が発声される。これらは、同時に発声されるので、３種類のスウィープ音とＨｉＬｏ音とが干渉する。これにより、音色が異なる音同士が干渉することになり、侵入者が受ける不快感を大きくさせることができる。この結果、侵入者はその場に居られず逃走する。また、音による不快感で侵入者は集中力及び判断力が著しく欠く状態になり、犯罪行為を非効率的にして長引かせることにより、犯人検挙に結び付けることができる。
このように、本実施形態の侵入者威嚇撃退装置１０では、侵入者の犯罪行為を中止させ、あるいは長引かせることにより、侵入者を撃退することができる。
【００８０】
ここで、３つの各スピーカ１６、１８、２０から発声される３種類のスウィープ音の周波数は、全て同一ではなく、それぞれ異なるように設定されているため、うなりを発生させることができる。これにより、侵入者が受ける不快感をさらに大きくさせることができ、撃退効果を大幅に向上させることができる。
また、３種類のスウィープ音及びＨｉＬｏ音の周波数は、共に３．０ｋＨｚから３．５ｋＨｚの範囲で変化しているため、人間の耳に最も良く聞こえる帯域であり、侵入者の撃退効果をさらに高めることができる。
また、スウィープ音及びＨｉＬｏ音の音圧レベルが１１０デシベル「ｄＢ」以上となるように設定されているため、大音量となり、侵入者に音圧による不快感を与えることができ、侵入者の撃退効果をさらに高めることができる。
さらに、各スピーカ１６、１８、２０から発声される各スウィープ音の振動数の整数倍の値が全て異なるように設定されているため、これらのスウィープ音はいわゆる不協和音となる。これにより、侵入者が受ける不快感をさらに大きくさせることができ、撃退効果を大幅に向上させることができる。
【００８１】
以上のように、本実施形態の侵入者威嚇撃退装置１０では、上記した音を発声させるために４つの各スピーカ１６、１８、２０、２２を用いているが、４個の個数に限られることなはない。ただし、複数のスピーカを用いることにより、１つのスピーカのみを用いる場合と比較して、各スピーカの大きさを小さくすることができ、これにより、侵入者威嚇撃退装置１０を小型化することができる。この結果、侵入者威嚇撃退装置１０の製造コストを大幅に低減させることができる。また、小型化に伴い、消費電流を低減させることができ、侵入者威嚇撃退装置１０のランニングコストを低減させることができる。
【００８２】
また、本実施形態では、３つの各スピーカ１６、１８、２０からのスウィープ音と、１つのスピーカ２２からのＨｉＬｏ音とを同時に発声される形態を説明したが、これに限られるものではない。
例えば、先ず、第１発声工程として、３つの各スピーカ１６、１８、２０のうちの１つのスピーカ２２からスウィープ音を発声させ、次に、所定の時間経過後、第２発声工程として、４つの全ての各スピーカ１６、１８、２０、２２からスウィープ音やＨｉＬｏ音を発声させるように、制御基板２８で制御してもよい。このように、初めは比較的小さい音を発声させ、次に比較的大きな音を発声させることにより、誤作動や誤操作した場合に、使用者が受ける不快感を可能な限り小さくさせることができる。このとき、使用者は、はじめの音が鳴れば、入出操作部３８を手動操作することにより、各スピーカ１６、１８、２０、２２からの発声を緊急に停止させることができる。
【００８３】
また、本実施形態では、音色が異なる複数の音と周波数が異なる複数の音とが同時に発声するように発声制御した形態を説明したが、これに限られるものではなく、例えば、音色が異なる複数の音のみを同時に発声（本実施形態では例えばスピーカ１６とスピーカ２２とからそれぞれ音を同時に発声させる）させても良く、さらにうなりのみが生じるように周波数が異なる複数の音のみを同時に発声（本実施形態では例えばスピーカ１６、１８、２０の少なくとも２つ以上のスピーカから音を同時に発声させ、スピーカ２２からは音を発声させない）させてもよい。
【図面の簡単な説明】
【００８４】
【図１】本発明の一実施形態に係る侵入者威嚇撃退装置の概念図である。
【図２】本発明の一実施形態に係る侵入者威嚇撃退装置を構成する侵入者威嚇撃退装置本体の内部構成図である。
【図３】本発明の一実施形態に係る侵入者威嚇撃退装置を構成する侵入者威嚇撃退装置本体の平面図である。
【図４】本発明の一実施形態に係る侵入者威嚇撃退装置を構成する侵入者威嚇撃退装置本体の正面図である。
【図５】本発明の一実施形態に係る侵入者威嚇撃退装置を構成する侵入者威嚇撃退装置本体の右側面図である。
【図６】本発明の一実施形態に係る侵入者威嚇撃退装置を構成する侵入者威嚇撃退装置本体の底面図である。
【図７】ロビンソン−ダッドソンの等ラウドネス曲線である。
【符号の説明】
【００８５】
１０    侵入者威嚇撃退装置
１６    スピーカ（第１音声発生手段、第２音声発生手段）
１８    スピーカ（第１音声発生手段、第２音声発生手段）
２０    スピーカ（第１音声発生手段、第２音声発生手段）
２２    スピーカ（第１音声発生手段、第２音声発生手段）
２４    第１カバー部材
２８    制御基板（制御手段）
４０    赤外線センサ（検知手段）
４２    第２カバー部材
４４    非常用バッテリ（バッテリ）
【図１】
2005135264.tif 000003
【図２】
2005135264.tif 000004
【図３】
2005135264.tif 000005
【図４】
2005135264.tif 000006
【図５】
2005135264.tif 000007
【図６】
2005135264.tif 000008
【図７】
2005135264.tif 000009